(57)【要約】【課題】転送動作中の転送経過が分かりやすい電子カメラの提供。【解決手段】電子カメラとＰＣとをＵＳＢ通信ケーブルで接続すると、ＰＣ側において転送用ソフトウェアが起動する。そして、電子カメラに設けられた転送／マーキングボタンを操作すると、電子カメラ側からＰＣへの撮影データの転送が開始される。転送動作中は、電子カメラに設けられた表示モニタに画像と転送状況を示す未転送画像枠４１，転送中画像枠４および転送済画像枠４３とが併せて表示される。未転送画像枠４１は転送が済んでいない画像に対して表示され、転送中画像枠４は転送中の画像に対して表示され、転送済画像枠４３は既に転送が終了した画像に対して表示される。【選択図】　　　　図９
2004096329.tif 000002
【特許請求の範囲】
【請求項１】
撮像装置で被写体像を撮像し、撮影データを外部機器に転送可能な電子カメラにおいて、
撮像画像データおよび表示用画像データを含む前記撮影データを生成する撮影データ生成手段と、
前記撮影データの前記外部機器への転送状況を示す表示、および、その撮影データに含まれる前記表示用画像データに基づく画像を併せて表示する表示装置とを備えたことを特徴とする電子カメラ。
【請求項２】
請求項１に記載の電子カメラにおいて、
前記表示は、前記撮影データが前記外部機器へ転送完了したことを示す第１の表示、前記撮影データが前記外部機器に対して転送中であることを示す第２の表示、および前記撮影データが前記外部機器に対して未だ転送されていないことを示す第３の表示の少なくとも一つを含むことを特徴とする電子カメラ。
【請求項３】
請求項１に記載の電子カメラにおいて、
前記表示画像データがサムネイル画像データであることを特徴とする電子カメラ。
【請求項４】
請求項３に記載の電子カメラにおいて、
前記撮影データを記憶する記憶手段と、
転送完了した撮影データに含まれるサムネイル画像データと同一データを作成して前記記憶手段に記憶させるサムネイルデータ作成手段と、
前記サムネイルデータ作成手段による前記同一データの作成後に前記転送完了した撮影データを前記記憶手段から削除する削除手段とを備え、前記削除手段により削除された撮影データに関しては前記サムネイルデータ作成手段で作成されたサムネイル画像データに基づく画像を前記表示装置に表示することを特徴とする電子カメラ。
【請求項５】
請求項３に記載の電子カメラにおいて、
前記撮影データを記憶する記憶手段と、
転送完了した撮影データに含まれる前記撮像画像データを、前記記憶手段から削除する削除手段とを備えたことを特徴とする電子カメラ。
【請求項６】
請求項３に記載の電子カメラにおいて、
前記撮影データを記憶する記憶手段と、
転送完了した撮影データに含まれる前記撮像画像データを前記表示装置への表示に最適な最適表示データに加工し、加工後の最適表示データを前記撮像画像データに代えて前記記憶手段に記憶させる撮像画像加工手段と、
転送完了した撮影データに関する画像を前記表示装置に１コマ再生表示する場合には、前記撮像画像加工手段で加工された最適表示データによる画像を表示し、前記転送完了した撮影データに関する画像を含む複数コマの画像を前記表示装置に再生表示する場合には、前記サムネイル画像データによる画像を表示するように制御する表示制御手段とを備えたことを特徴とする電子カメラ。
【請求項７】
請求項３に記載の電子カメラにおいて、
前記削除手段による削除動作および前記撮影画像加工手段による加工・記憶動作を行わせる操作部を備えたことを特徴とする電子カメラ。
【発明の詳細な説明】
【０００１】
【発明の属する技術分野】
本発明は、パーソナルコンピュータ（ＰＣ）などの外部情報機器に対して、撮影画像のデータ転送が可能な電子カメラに関する。
【０００２】
【従来の技術】
従来の電子カメラでは、ＰＣ等の外部機器に撮影画像データを転送する場合には、電子カメラはＰＣに対して外部記録媒体として機能している。このような場合、ＰＣが外部記録媒体である電子カメラからデータを吸い上げるという形態が採用されている。近年は、ＵＳＢ等の通信規格の進歩に伴い、電子カメラを主体とした画像転送が可能となってきている。このような電子カメラでは、ＰＣに画像転送・閲覧ソフトウェアが起動されている状態で、電子カメラにＵＳＢケーブルを接続して画像転送を指示するスイッチを操作すると、電子カメラから通信を開始してＰＣに画像データを転送することができる。
【０００３】
【発明が解決しようとする課題】
しかしながら、従来の電子カメラでは、画像転送中においては転送中を示す表示のみが液晶パネル等に表示されるのみで、転送経過が分かりづらかった。
【０００４】
本発明の目的は、転送動作中の転送経過が分かりやすい電子カメラを提供することにある。
【０００５】
【課題を解決するための手段】
本発明は、撮像装置で被写体像を撮像し、撮影データを外部機器に転送可能な電子カメラに適用される。そして、本発明による電子カメラは、撮像画像データおよび表示用画像データを含む前記撮影データを生成する撮影データ生成手段と、撮影データの外部機器への転送状況を示す表示、および、その撮影データに含まれる表示用画像データに基づく画像を併せて表示する表示装置とを備えて上述の目的を達成する。
【０００６】
【発明の実施の形態】
以下、図を参照して本発明の実施の形態を説明する。図１は本発明による電子カメラの一実施の形態を示す図であり、（ａ）は電子カメラを上方から見た平面図、（ｂ）は電子カメラを後方から見た背面図である。図１（ａ）に示すように、電子カメラ１の上面には、電源のオン／オフ操作を行うメインスイッチ４および撮影動作を行わせるためのレリーズボタン５がそれぞれ設けられている。この電子カメラ１は、被写体の撮影操作および撮影データのメモリカード７（図１（ｂ）参照）への記録が行われる撮影モードと、カメラ背面に設けられた表示モニタ３に撮影画像を再生表示する再生モードと、撮影データを外部機器に転送する転送モードとを備えている。この撮影モードと再生モードとの切換操作は、コマンドダイヤル６により行う。転送モードへの切換については後述する。メモリカード７は電子カメラ１に対して着脱自在に設けられている。
【０００７】
図１（ｂ）に示すように、カメラ背面には、画像表示用の表示モニタ３の他に、ファインダー接眼窓８、撮影光学系２をズーム操作するためのズーム切換ボタン９や各種操作ボタンが設けられている。ズーム切換ボタン９は、そのＷ側が押し込まれると撮影光学系２が広角側に駆動され、Ｔ側が押し込まれると望遠側に駆動される。撮影モード時には、後述するＣＣＤ１１０により撮像された被写体像が表示モニタ３に逐次表示される。一方、再生モード時には、メモリカード７に記録されている画像のサムネイル表示や、個々の画像の再生表示などが表示モニタ３により行われる。
【０００８】
１６は開閉自在なカバーであって、メモリカード７のカード装着部（不図示）はカバー１６内に設けられている。カバー１６内にはＵＳＢ接続端子１３も設けられている。メモリカード７の撮影データをＰＣ（パーソナルコンピュータ）等の外部機器に転送する場合には、外部機器に接続されたＵＳＢ通信用ケーブル２１をＵＳＢ接続端子１３に接続してデータ転送を行う。転送／マーキングボタン１２は、ＵＳＢ接続端子１３にＵＳＢ通信用ケーブル２１が接続されると、撮影データ転送開始を行わせるための転送ボタンとして機能する。また、転送動作中に転送／マーキングボタン１２を操作すると、転送動作が中断される。そのため、カメラ側から転送開始、中断を操作することができる。一方、ＵＳＢ通信用ケーブル２１がＵＳＢ接続端子１３から外されると、転送／マーキングボタン１２は転送マーキングを設定するマーキングボタンとして機能する。
【０００９】
１０は、各種設定を行う際の設定メニューを表示モニタ３に表示させるためのメニューボタンである。メニューボタン１０を操作して設定メニューを表示させ、選択スイッチ１１の操作部１１ａ〜１１ｄを操作することにより設定すべき項目を選択することができる。１４，１５は、撮影モード時および再生モード時において各種カメラ設定を行うための設定ボタンである。設定ボタン１４は撮影モード時には露出補正ボタンとして機能し、再生モード時にはメモリカード７中の撮影データを削除する削除ボタンとして機能する。設定ボタン１５は撮影モード時にはフォーカスモード設定をするフォーカスモードボタンとして機能し、再生モード時には表示モニタ３にサムネイル画像を表示させるためのサムネイルボタンとして機能する。
【００１０】
図２は、カメラ構成を示すブロック図である。本実施の形態の電子カメラは、ＣＣＤ撮像素子１１０を有する撮像部１００、システムＬＳＩ２２０を中心とするデジタル回路部２００、画像再生部４００および操作部５００等により構成されている。ＣＣＤ撮像素子１１０は複数の画素が二次元的に配設されたエリア型の撮像素子であり、ＣＣＤ撮像素子１１０の撮像面上には撮影光学系２により被写体像が結像される。本実施の形態では、撮像素子としてＣＣＤ型の撮像素子を例に説明するが、ＭＯＳ型の撮像素子などでもよい。ＣＣＤ撮像素子１１０において被写体像は光電変換され、被写体像に応じた電気信号がＣＣＤ撮像素子１１０からアナログ信号処理回路１１１に入力される。
【００１１】
アナログ信号処理回路１１１はＡＧＣ（利得制御回路）やＣＤＳ（相関二重サンプリング回路）などを含んでおり、入力された画像信号に対してゲイン調整や雑音除去等のアナログ信号処理を行う。アナログ信号処理が施された画像信号はＡ／Ｄ変換回路１１２によってデジタル信号に変換され、デジタル回路部２００のシステムＬＳＩ２２０に入力される。ＴＧ（タイミングジェネレータ）回路１１３はＣＣＤ撮像素子１１０，アナログ信号処理回路１１１およびＡ／Ｄ変換回路１１２のそれぞれに動作タイミング信号を出力し、これらの間の動作タイミングを制御する。
【００１２】
デジタル回路部２００のシステムＬＳＩ２２０では、Ａ／Ｄ変換回路１１２から入力されたデジタル画像データに対して、画像サイズ変更、ホワイトバランス処理、ガンマ補正等のデジタル信号処理およびデータ圧縮処理などが行われる。プログラムメモリを構成するＲＯＭ２２１にはこれらの処理に関するプログラムやカメラ全体の制御プログラムが記憶されており、図１（ａ）のメインスイッチ４がオンされるとシステムＬＳＩ２２０により制御プログラムが実行される。画像メモリを構成するＲＡＭ２２２は、撮像部１００から入力された画像データの一時記憶や各種画像処理や画像圧縮／伸張処理の際のバッファメモリとして利用される。
【００１３】
画像再生部４００には、上述した表示モニタ３と、その表示モニタ３の駆動制御を行うモニタコントローラ４４１とが設けられている。操作部５００には、上述したメインスイッチ４、レリーズボタン５、コマンドダイヤル６、ズーム切換ボタン９、選択スイッチ１１、転送／マーキングボタン１２および設定ボタン１４，１５等で構成される。ＵＳＢ接続端子１３はＵＳＢインタフェース３１を介してシステムＬＳＩ２２０に接続されている。
【００１４】
《転送画像の指定》
次に、図３に示すように、ＵＳＢ通信用ケーブル２１を介して電子カメラ１から外部機器であるＰＣ２０に撮影データを転送する際の動作について説明する。撮影データの転送動作を行うためには、予め転送すべき撮影データを指定する。この転送画像指定の方法としては、カメラ初期設定により撮影された画像を一括して指定するようにしても良いし、再生モード時に上述した転送／マーキングボタン１２を操作して所望の画像だけを指定するようにしても良い。
【００１５】
ここでは、再生モード時の転送画像指定について説明する。まず、図１のコマンドダイヤル６を操作してカメラの状態を再生モードに設定する。再生モードに設定されると、メモリカード７に記憶されている画像の一つが図４（ａ）のように表示モニタ３に再生表示される。なお、撮影画像は一つの撮影データファイルとしてメモリカード７に記録されており、この撮影データファイルには撮像画像データ（以下では本画像データと記す）の他に、サムネイル画像データや撮影日付などの撮影情報等が含まれている。サムネイル画像データは撮像画像データを間引いたり線形補間する等して得られる画像データであり、例えば、表示モニタ３への画像表示のときのデータとして使用される。
【００１６】
表示モニタ３に表示された画像が既に転送画像として指定されている場合には、図４（ａ）のように転送マーキング３０が画像と共に表示される。一方、未だ転送画像に指定されていない場合には転送マーキング３０は未表示であり、画像表示状態で転送／マーキングボタン１２を操作すると、表示されている画像は転送画像に指定されて転送マーキング３０が表示される。さらに、図４（ａ）の状態で転送／マーキングボタン１２を操作すると、転送マーキング３０の表示が消えて画像転送指定が解除される。なお、再生モード時には、転送／マーキングボタン１２はマーキングボタンとして機能している。
【００１７】
また、図４（ａ）の一コマ再生表示状態で設定ボタン１５を操作すると、図４（ｂ）に示すようなサムネイル再生表示となる。なお、図４（ｂ）のサムネイル再生表示は、５コマ目の画像が一コマ再生表示されている状態から移行したものであり、一コマ再生されていた画像（５コマ目の画像）に枠型カーソル４０が表示される。図４（ｂ）では、転送マーキング３０が表示されている５コマ目だけが転送画像に指定されている。さらに、６コマ目も転送画像に指定する場合には、選択スイッチ１１の操作部１１ｄを１回操作して枠型カーソル４０を６コマ目に移動させ、転送／マーキングボタン１２を操作すれば良い。
【００１８】
このようにして転送画像の指定が完了したならば、図３に示すようにＵＳＢ通信ケーブル２１を用いて電子カメラ１とＰＣ２０とを接続する。前述したように、電子カメラ１のＵＳＢ接続端子１３に、ＰＣ２０に接続されたＵＳＢ通信ケーブル２１が接続されると、電子カメラ１は転送モードとなる。転送モード時には、転送／マーキングボタン１２は転送ボタンとして機能する。図３において、２２はＰＣ２０に接続された表示用モニタである。ＰＣ２０には転送処理用プログラムが予めインストールされている。ＰＣ２０は電子カメラ１がＵＳＢ接続されたことを認識すると、転送処理用プログラムを自動的に起動する。
【００１９】
《転送動作》
図５のフローチャートは、電子カメラ１のシステムＬＳＩ２２０によって処理される転送動作の手順を示したものである。ステップＳ１では、電子カメラ１の転送／マーキングボタン１２が操作されたか否かを判定し、操作されるとステップＳ２へ進む。ステップＳ２では、表示モニタ３に転送指定された画像のみについてサムネイル画像を表示する。続くステップＳ３では、表示された全てのサムネイル画像３１〜３９に対して、図６に示すような未転送画像枠４１を表示する。なお、図６に示す例では、図４（ｂ）に示されている９コマの画像の内の、１コマ目から７コマ目までが転送画に指定されている。そのため、１コマ目から７コマ目までのサムネイル画像３１〜３７しか、表示モニタ３に表示されていない。
【００２０】
ステップＳ４では、転送指定された画像の一コマ分の撮影データ、例えば１コマ目の画像の撮影データの転送を開始する。なお、本実施の形態では、図６の１コマ目から順に撮影データの転送を行うものとして説明する。ステップＳ５では、図７に示すように撮影データ転送中の１コマ目のサムネイル画像３１に、未転送画像枠４１に代えて転送中画像枠４２を表示する。ステップＳ６では１コマ分の撮影データ転送が終了したか否かを判定し、終了と判定されるとステップＳ７に進む。ステップＳ７では、データ転送が終了した１コマ目のサムネイル画像３１に、転送中画像枠４２に代えて転送済画像枠４３を表示する（図８参照）。
【００２１】
ステップＳ８では、転送完了した１コマ目の画像に関して転送済ファイルを作成する。なお、転送済ファイルの詳細については後述する。続くステップＳ９では、メモリカード７に記録されている１コマ目の撮影データファイルを、上述の転送済ファイルに置き換える。すなわち、メモリカード７には、１コマ目の画像に関しては転送済ファイルのみが記録されることになる。ステップＳ１０では転送指定された画像の全てが転送されたか否かを判定する。ステップＳ１０において、全コマのデータ転送が終了したと判定されるとステップＳ１１へ進み、全コマのデータ転送が終了していないと判定されるとステップＳ４へ戻る。
【００２２】
ステップＳ１０からステップＳ４に戻った場合には、ステップＳ４において２コマ目の画像のデータ転送を開始する。そして、ステップＳ５では、データ転送中である２コマ目のサムネイル画像に、未転送画像枠４１に代えて転送中画像枠４２を表示する（図９参照）。その結果、図９に示すように、表示モニタ３に表示されている７コマのサムネイル画像において、データ転送が終了したサムネイル画像３１には転送済画像枠４３が、データ転送中の２コマ目のサムネイル画像３２には転送中画像枠４２が、データ未転送の３コマ目から７コマ目のサムネイル画像３３〜３７には未転送画像枠４１がそれぞれ表示される。
【００２３】
画像枠４１〜４３の表示形態の一例としては、枠の色を変えて表示する。例えば、未転送画像枠４１を赤色、転送中画像枠４２を黄色、転送済画像枠を緑色とそれぞれ色分けし、転送中を示す画像枠４２については点滅させるなどして認識しやすいようにすれば良い。また、未転送、転送中および転送済を示すマークは、画像枠にこだわらず分かりやすいものであればどのようなものでも良い。
【００２４】
上述したステップＳ４からステップＳ９までの処理は転送指定された全ての画像に対して行われる。ステップＳ１０からステップＳ１１へ進んだ場合には、ステップＳ１１において電子カメラ１のＵＳＢ接続端子１３からＵＳＢ通信ケーブル２１が外されたか否かを判定する。ステップＳ１１においてケーブル２１が接続状態と判定されると再びステップＳ１１の処理が実行され、一方、ケーブル２１がＵＳＢ接続端子１３から外されたと判定されると次のステップＳ１２へ進む。ステップＳ１２では、カメラ１のモードをＵＳＢ通信ケーブル２１がＵＳＢ接続端子１３に接続される前のモード、例えば、撮影モードや再生モードに切り換える。ステップＳ１２のモード切換が終了すると、一連の転送動作処理が終了する。
【００２５】
ところで、電子カメラ１のバッテリ消耗等により転送動作が中断した場合には、転送中であった画像は未転送と扱われる。すなわち、図９に示すように２コマ目の画像が転送中であった場合には、２コマ目の撮影データは未転送なので、表示モニタ３に図１０に示すような表示を行う。なお、図１０のサムネイル画像３１の表示は、ステップＳ８で作成された転送済みファイルのデータに基づいて行われる。
【００２６】
カメラ使用者は表示モニタ３に表示されたメッセージ４４およびサムネイル表示とから、転送動作が中断され、かつ、１コマ目の撮影データだけが転送済みであることが容易に確認することができる。そのため、転送動作をもう一度行って、２コマ目以降を転送すれば良いことが容易に分かり、失敗のない転送動作を行うことができる。
【００２７】
《転送済ファイルの説明》
ステップＳ８で作成される転送済ファイルについて説明する。以下では３種類の転送済ファイルＡ〜Ｃについて例示する。
（転送済ファイルＡ）
転送済ファイルＡは、撮影データとは別に新たに作成されたサムネイル画像データだけのファイルである。ステップＳ９では、メモリカード７に記録されている撮影データをこのサムネイルファイルに置き換える。すなわち、メモリカード７に残されているデータは、転送済みの画像に関してはサムネイルファイルが記録されており、未転送の画像に関しては本画像データとサムネイル画像データの両方を含む本来の撮影データが残されている。
【００２８】
（転送済ファイルＢ）
転送済ファイルＢは、撮影データファイルに含まれる本画像データの部分を削除したものである。ステップＳ９では、メモリカード７に記録されている撮影データファイルを本画像データが削除されたファイルに置き換える。なお、撮影データファイルに含まれる撮影情報については、本画像データと共に削除しても良いし、削除せずにサムネイル画像データと共に残してもよい。
【００２９】
（転送済ファイルＣ）
転送済ファイルＣは、本画像データから生成される縮小画像データから成るファイルである。縮小画像には、表示モニタ３に画像を１コマ表示する際に適した画素数を有する画像、例えば、ＶＧＡ画像などが採用する。ステップＳ９では、メモリカード７に記録されている撮影データファイルを、この縮小画像データファイルに置き換える。
【００３０】
（再生画面表示）
上述したように、撮影データ転送済の画像に関しては、転送済ファイルＡ〜Ｃに応じて別個のサムネイルファイル、本画像データの除いた撮影データファイルおよび縮小画像データファイルのいずれかがメモリカード７に記録されている。そして、再生モードにおいて削除済画像を再生表示する場合には、これらのデータファイルに基づいて画像を表示する。例えば、図４（ａ）に示すような１コマ再生表示を行う場合、未転送画像については図４（ａ）と同一表示となる。また、転送済み画像については、図１１（ａ）のような１コマ再生表示を行う。
【００３１】
図１１の（ａ）において、表示５０は表示された画像が転送済みであることを示すアイコンである。図１１の（ｂ）は（ａ）の変形例を示す図である。図１１（ｂ）では、再生画像５１、撮影データファイルがＰＣに転送済みであることを示す表示５３、撮影データファイルが削除されていることを示す表示５２および表示５０を一つの画面に表示した。なお、図１１（ａ），（ｂ）の再生画像は、サムネイルデータまたは縮小画像データに基づいて表示する。縮小画像データ場合には、図１１（ａ）のような表示に最適な画素数の画像であるため、サムネイル画像を１コマ表示する場合に比べて、精緻な再生画像を表示することができる。また、図１１（ａ）の再生画像５１の場合には通常のサムネイル表示よりも大きく表示され、サムネイル画像を拡大表示したり縮小画像を拡大表示したりすることにより得られる。
【００３２】
上述した本実施の形態の電子カメラ１では、以下のような利点を有している。
（１）外部機器に撮影データを転送する際には、転送状況に応じて図６〜１０に示すような表示が表示モニタ３に表示されるので、転送経過が分かりやすい、また、不意の転送中断があった場合でも、図１０に示すような表示がされるため転送済画像が確認しやすく、再転送作業がやりやすくなった。
（２）転送動作終了時には、転送済画像に関してのみ、メモリカード７内の撮影データがデータ容量の小さなサムネイルファイルや本画像データを含まないファイルや縮小画像ファイルにより置き換えられる。その結果、メモリカード７には更に記録可能なスペースが確保され、転送作業終了後すぐに撮影動作を行うことができる。また、従来のように転送済画像を確認しつつ撮影データを一々削除する煩わしさが解消されるとともに、人為的ミスによって未転送の画像データまで削除してしうという誤削除を防止することができる。
（３）さらに、メモリカード７の転送済撮影データが上述した転送済ファイルにより置き換えられて撮影データが削除された後でも、新たに生成されたサムネイルファイルや縮小画像ファイルに基づいて転送済画像を表示モニタ３上に表示させて確認することができる。そのため、ＰＣを立ち上げて転送済画像を確認しなくても良く、電子カメラ側で簡単に確認作業が行える。
【００３３】
［変形例］
図１２，１３は、上述した実施の形態の変形例を示すフローチャートである。図１２は上述した図５と同様に転送動作を示すフローチャートであって、図５のステップＳ８およびステップＳ９が省略され、新たにステップＳ１００が追加されたものである。すなわち、図１２では、ステップＳ７において図８に示す表示を行ったならばステップＳ１０へ進み、転送指定された画像の全てが転送されたか否かを判定する。ステップＳ１００において転送終了と判定されるとステップＳ１００へ進み、転送済画像に関する削除処理が実行される。
【００３４】
図１３はステップＳ１００の削除処理ルーチンの詳細手順を示すフローチャートである。ステップＳ１０１では、画像削除を実行するか否かを確認するメッセージを表示モニタ３に表示する。使用者は選択スイッチ１１を操作して削除実行または削除非実行を選択する。ステップＳ１０２では、カメラ使用者によって削除実行が選択されたか否かを判定する。ステップＳ１０２で削除実行が選択されたと判定されるとステップＳ１０３へ進み、削除非実行が選択されたと判定されるとステップＳ１０４へ進む。
【００３５】
ステップＳ１０３では転送完了した画像に関する削除処理を行う。すなわち、ステップＳ１０３では、図５のステップＳ８およびステップＳ９と同様の処理が、転送済画像の全てに対して一括して行われる。ステップＳ１０４では、上述した図１０に示すサムネイル表示を表示モニタ３に表示する。ただし、表示４４は表示されない。なお、転送動作が中断した場合には、図１０に示す表示の後に、転送済画像の撮影データを削除するか否かのメッセージを表示モニタ３に表示するようにすれば良い。
【００３６】
なお、上述した実施の形態において、表示５０，５２，５３や画像枠４１〜４３は一例を示したものであり、表示形態はこれに限らない。以上説明した実施の形態と特許請求の範囲の要素との対応において、ＣＣＤ撮像素子１１０は撮像装置を、表示モニタ３は表示装置を、本画像データは撮像画像データを、サムネイル画像データおよび縮小画像データは表示用画像データを、ＰＣ２０は外部機器を、転送済画像枠４３は第１の表示を、転送中画像枠４２は第２の表示を、未転送画像枠４１は第３の表示を、メモリカード７は記憶手段を、システムＬＳＩ２２０は撮影データ作成手段，サムネイルデータ作成手段，削除手段，撮像画像加工手段および表示制御手段をそれぞれ構成する。
【００３７】
【発明の効果】
以上説明したように、本発明によれば、撮影データの転送状況を示す表示を画像と併せて表示したので、転送動作中の転送経過が分かりやすくなった。
【図面の簡単な説明】
【図１】本発明による電子カメラの一実施の形態を示す図であり、（ａ）は電子カメラを上方から見た平面図、（ｂ）はカメラを後方から見た背面図である。
【図２】カメラ構成を示すブロック図である。
【図３】撮影データ転送時の電子カメラ１とＰＣ２０とを示す図である。
【図４】再生画像表示を示す図であり、（ａ）は一コマ再生表示を示す、（ｂ）はサムネイル再生表示を示す。
【図５】転送動作の手順を示すフローチャートである。
【図６】転送開始前のサムネイル表示を示す図である。
【図７】転送中画像枠４２を説明する図である。
【図８】転送済画像枠４３を説明する図である。
【図９】２コマ目の撮影データが転送中のときのサムネイル表示を示す図である。
【図１０】転送中断時の表示を示す図である。
【図１１】再生画面表示を示す図であり、（ａ）は画像と表示５０とを重ねて示した図であり、（ｂ）は画像５１と、表示５０〜５３を併せて表示した図である。
【図１２】変形例を説明するフローチャートである。
【図１３】図１２のステップＳ１００の詳細手順を示すフローチャートである。
【符号の説明】
１　電子カメラ
３　表示モニタ
７　メモリカード
１２　転送／マーキングボタン
１３　ＵＳＢ接続端子
２０　ＰＣ
２１　ＵＳＢ通信用ケーブル
３０　転送マーキング
３１〜３９　サムネイル画像
４１　未転送画像枠
４２　転送中画像枠
４３　転送済画像枠
５０，５２，５３表示
１１０　ＣＣＤ撮像素子
２２０　システムＬＳＩ
【図１】
2004096329.tif 000003
【図２】
2004096329.tif 000004
【図３】
2004096329.tif 000005
【図４】
2004096329.tif 000006
【図５】
2004096329.tif 000007
【図６】
2004096329.tif 000008
【図７】
2004096329.tif 000009
【図８】
2004096329.tif 000010
【図９】
2004096329.tif 000011
【図１０】
2004096329.tif 000012
【図１１】
2004096329.tif 000013
【図１２】
2004096329.tif 000014
【図１３】
2004096329.tif 000015